(57)【要約】【課題】安全な空気調和機の電装品収納箱を提供することを目的とする。【解決手段】室内ユニットと室外ユニットとを接続配管及び接続電線により連結して構成する分離型の室内ユニットにおいて、空気調和機の電気部品の動作を制御する制御基板と、制御基板に接続され、室外ユニットからの接続電線を下方から挿入し接続される端子板を有する電装品収納箱において、端子板の接続電線挿入部を覆う端子板カバーがグリルに装着され、端子板に相対する側に不燃材が配設されたものである。【選択図】図５
2009074749.tif 000002
【特許請求の範囲】
【請求項１】
室内ユニットと室外ユニットとを接続配管及び接続電線により連結して構成する分離型の室内ユニットにおいて、前記空気調和機の電気部品の動作を制御する制御基板と、前記制御基板に接続され、前記室外ユニットからの接続電線を下方から挿入し接続される端子板を有する電装品収納箱において、前記端子板の接続電線挿入部を覆う端子板カバーがグリルに装着され、端子板に相対する側に不燃材が配設されたことを特徴とする空気調和機の電装品収納箱。
【請求項２】
電子制御板の高電力の発生部品及び、ファンモータの接続部、電源コードの接続部等運転及び停止時に一定の高電力が発生する部位に不燃材による電装品カバーを設けたことを特徴とする請求項１に記載の空気調和機の電装品収納箱。
【発明の詳細な説明】
【技術分野】
【０００１】
本発明は、空気調和機の電装品収納箱に関するものである。
【背景技術】
【０００２】
従来の空気調和機の電装品収納箱について図６及び図７で説明する。電装品収納箱１の内部に配設され電気部品の動作を制御する機能を有する電子制御板２や、室外ユニットからの接続電線を下方から挿入し接続される端子台３の異常に対応する為、電装品収納箱１及び端子台カバー４は難燃性樹脂で整形されている。電子制御板２の部品実装側の全体を難燃性樹脂又は鉄板の不燃材のカバー１２で全体を覆っている（例えば、特許文献１参照）。
【特許文献１】特開２００１−６５９１３号公報
【発明の開示】
【発明が解決しようとする課題】
【０００３】
しかしながら、上記従来の構成では、トラッキング、部品劣化、小動物進入等の原因による、一定の高電圧が発生しうる部位での異常を防止するために、難燃性合成樹脂で成形した部品を使用しているが、近年難燃性合成樹脂採用によるカバーのみでは、難燃性合成樹脂の変形その他の不具合により需要家に不安を与えるという課題を有していた。
【０００４】
本発明はこのような従来の課題を解決するものであり、安全な空気調和機の電装品収納箱を提供することを目的とする。
【課題を解決するための手段】
【０００５】
前記従来の課題を解決するために、本発明の空気調和機の電装品収納箱は、電気部品の動作を制御する機能を有する制御基板と、室外ユニットからの接続電線を接続される端子台を有する電装品収納箱において、この端子台の接続電線挿入部を覆う端子台カバーをグリルに装着させ端子台接続部をカバーできる部位にのみ不燃材を配設したものである。
【発明の効果】
【０００６】
本発明の空気調和機の電装品収納箱によれば、エアコンの据付工事における工事時間の増加も無く、電線接続工事の不具合を原因とする端子台の異常を不燃材で遮断し、難燃性合成樹脂の変形等を防止することができる。
【発明を実施するための最良の形態】
【０００７】
第１の発明は、室内ユニットと室外ユニットとを接続配管及び接続電線により連結して構成する分離型の室内ユニットにおいて、前記空気調和機の電気部品の動作を制御する制御基板と、前記制御基板に接続され、前記室外ユニットからの接続電線を下方から挿入し接続される端子板を有する電装品収納箱において、前記端子板の接続電線挿入部を覆う端子板カバーがグリルに装着され、端子板に相対する側に不燃材が配設されたものである。
【０００８】
これにより、端子台の異常を不燃材で遮断し、難燃性合成樹脂の変形等を防止することができる。
【０００９】
第２の発明は、特に、第１の発明において、運転及び停止時電子制御板の高電力の発生部品及び、ファンモータの接続部、電源コードの接続部等、一定の高電力が発生し異常が発生する可能性がある部位に相対する部分にのみ不燃材による電装品カバーを配設したものである。
【００１０】
これにより、燃性合成樹脂による利便性・加工容易化等を保持したまま、必要部位にのみ不燃材を呈し不燃材の容積率を少なくし、かつ安全な電装品収納箱を実現することができる。
【００１１】
以下本発明の実施の形態について、図面を参照しながら説明する。なお、この実施の形態によって本発明が限定されるものではない。
【００１２】
（実施の形態１）
図１は、本発明の第１の実施の形態における空気調和機の室内ユニットの正面図である。図２は、本実施の形態における空気調和機の室内ユニットの、室外からの接続電線を接続するに当りパネル及び電装品カバーを開いた状態の斜視図である。図３は、電装品カバーの分解斜視図である。図４は、本実施の形態における空気調和機の室内ユニットの、接続電線を固定した状態での斜視図である。
【００１３】
以下、従来の技術の図６、図７と同じ構成要素については同じ符号を用い、説明を省略する。
【００１４】
以上のように構成された空気調和機の電装品収納箱について、以下その動作、作用を説明する。
【００１５】
まず、図１は室内ユニット９であり、パネル７で正面側の外装を呈している。図２において室内・室外を繋ぐ接続電線５を室内ユニットに接続するに当り、底フレ−ム６の後方から接続電線を挿入する。
【００１６】
パネル７を開き、グリル８の開口部上部には左右に円柱形突起に有し、この円柱形突起に穴形状を有する端子台カバー４が装着され、前記円柱突起部を軸に回転し開く。
【００１７】
図３において難燃性合成樹脂で作成された端子台カバー４の端子台３に相対する位置に鉄板の不燃材のカバー１０が端子台カバー４の突起４ａと不燃材のカバー１０の穴１０ｂを配してはめ込まれている。
【００１８】
図４において接続電線５を端子台３の穴に挿入し電線押さえ具１１にて固定することにより室外と室内の電線接続が完了し、端子台カバー４を元の状態にする事により端子台３の接続部を不燃材のカバー１０で覆うことができる。
【００１９】
以上のように、本実施の形態において電装品収納箱内の端子台３の接続電線５の挿入部を覆う端子台カバー４がグリルに装着され端子台３に相対する側に不燃材のカバー１０を配設したことで、端子台の異常を不燃材で遮断し、難燃性合成樹脂の変形等を防止することができる。
【００２０】
（実施の形態２）
図５は、本発明の第２の実施の形態における空気調和機の電装品収納箱の分解斜視図である。
【００２１】
図５において、１は電装品収納箱、２は電子制御板、３は端子台であり、１２及び１３は不燃材のカバーで電装品収納箱１の外周に配設されている。
【００２２】
以上のように構成された空気調和機の電装品収納箱について、以下その動作、作用を説明する。
【００２３】
まず、図５において難燃性合成樹脂製の電装品収納箱１に設けた弾性形状ツメで、電子制御板２を収納固定し、電子制御板２の部品実装面に鉄板の不燃材製カバー１２ａと１２ｂを配設し、電子制御板２の半田面に不燃材製カバー１２ｃが電装品収納箱１の凸形状と不燃材製カバーの穴形状により取り付けられて、運転及び停止時電子制御板の高電力の発生部品及び、ファンモータの接続部等を覆っている。
【００２４】
また、電源コードの接続部やキャパシタ部は鉄板の不燃材製カバー１３にて覆っている。なお、これは一実施の形態であり、部品の配置や接続部は限定するものではない。
【００２５】
以上のように、本実施の形態においては電装品収納箱１に収納された電子制御板２に搭載の各種電気部品の劣化や小動物進入等により、電源コードやファンモータ線の接続部など一定の高電圧のもとで異常が発生しうる部分等必要部分のみに鉄板の不燃材製カバーを配設する。
【００２６】
このため、不燃材の容積率を少なくした電装品収納箱が供給でき、不燃構造の電装品収納箱で、長期使用しても安全な室内ユニットが構成できる。
【産業上の利用可能性】
【００２７】
以上のように、本発明にかかる空気調和機の電装品収納箱は、据付業者が行う電線接続工事の良否に関わらず、端子台の異常を不燃材で遮断すると共に、各種電気部品の劣化による異常が発生する可能性がある部分にのみ不燃材による電装品カバーを配設することにより、外装部品が樹脂構造の空気調和機に適用できる。
【図面の簡単な説明】
【００２８】
【図１】本発明の実施の形態１による空気調和機の室内ユニットの正面図
【図２】本発明の実施の形態１による空気調和機の室内ユニットの接続部斜視図
【図３】本発明の実施の形態１による電装品カバーの分解斜視図
【図４】本発明の実施の形態１による空気調和機の室内ユニットの接続部斜視図
【図５】本発明の実施の形態２による電装品収納箱の分解斜視図
【図６】従来の空気調和機における電装品収納箱の分解斜視図
【図７】従来の空気調和機における空気調和機の接続部斜視図
【符号の説明】
【００２９】
１  電装品収納箱
２  電子制御板
３  端子台
４  端子台カバー
【図１】
2009074749.tif 000003
【図２】
2009074749.tif 000004
【図３】
2009074749.tif 000005
【図４】
2009074749.tif 000006
【図５】
2009074749.tif 000007
【図６】
2009074749.tif 000008
【図７】
2009074749.tif 000009